(57)【要約】      （修正有）【課題】立ち位置で肩と背中の両方を指圧することができ、構造が簡単で持ち運びができる一点集中型の指圧器具を提供する。【解決手段】壁面等の平面に吸着させて使用する指圧器具であって、吸着盤６を備える台盤５と、台盤から垂直方向に突出した支持棒４と、支持棒の端部に指圧器具の使用時に水平方向に作用するように配置された第１の指圧部２と、支持棒の端部近傍に指圧器具の使用時に鉛直下方向に作用するように配置された第２の指圧部３とを有し、身体の正面・背面・側面の各部位への指圧には第１の指圧部を身体の各部位に当接させることにより指圧を行い、肩への指圧には第２の指圧部を肩に当接させて指圧を行うことを特徴とする。【選択図】図１
0003197850.tif 000002
【実用新案登録請求の範囲】
【請求項１】
平面に吸着させて使用する指圧器具であって、
前記平面に前記指圧器具を吸着させるための吸着盤を備える台盤と、
前記台盤から前記台盤に対して垂直方向に突出した支持棒と、
前記支持棒の前記台盤と反対側の端部に前記指圧器具の使用時に水平方向に作用するように配置された第１の指圧部と、
前記支持棒の前記端部近傍に前記指圧器具の使用時に鉛直下方向に作用するように配置された第２の指圧部と、
を有し、
身体の正面・背面・側面の各部位への指圧には前記第１の指圧部を前記身体の前記部位に当接させることにより指圧を行い、
肩への指圧には前記第２の指圧部を前記肩に当接させて指圧を行うことを特徴とする指圧器具。
【考案の詳細な説明】
【技術分野】
【０００１】
本考案は指圧器具に関する。
【背景技術】
【０００２】
市販の指圧器具は、基板上に複数の突起部を有する形態のものがほとんどで、使用方法は、器具を床や浴槽内に配置し、指圧したい部分に突起部が当接するように仰向けに寝たり座して寄りかかったりして体重をかけることによって指圧効果を得るものである。
【先行技術文献】
【特許文献】
【０００３】
【特許文献１】実開昭６３−１４６６４２号公報
【考案の概要】
【考案が解決しようとする課題】
【０００４】
上述の指圧器具は、人が横になれる衛生的なスペースを必要とするため、使用できる場所が限定される。また、身体の指圧場所は主に肩甲骨から腰部の背面部分に限られ、肩こりの指圧に求められる鉛直上方向からの圧力を得ることはできない。
【０００５】
肩と背中を指圧可能とした指圧器具としては特許文献１の指圧板の考案がある。該指圧板は、６個の指圧球を３個ずつ２列に配置した背もたれ板を浴槽内の後壁に斜設し、さらに前記背もたれ板の上辺から両肩上方向に、それぞれ３個の指圧球を有する２枚の板状を枢設して、入浴中に背中と肩の両方を指圧可能としたものである。
【０００６】
しかしながら、前記指圧板は使用場所が限定されているほか、部品数が多く構造が複雑である。また、指圧球が複数あるため、指圧力が分散され効果が期待できない。
【０００７】
上述の問題を解決すべく、本考案においては、立ち位置で肩と背中の両方を指圧することができ、構造が簡単で持ち運びができる一点集中型の指圧器具を提供することを課題とする。
【課題を解決するための手段】
【０００８】
上記課題を解決するために、本考案に係る指圧器具は、鉛直に設置された壁面等の平面に吸着させて使用する指圧器具であって、吸着盤を備える台盤と、台盤から垂直方向に突出した支持棒と、支持棒の端部に指圧器具の使用時に水平方向に作用するように配置された第１の指圧部と、支持棒の前記端部近傍に指圧器具の使用時に鉛直下方向に作用するように配置された第２の指圧部とを有し、身体の正面・背面・側面の各部位への指圧には前記第１の指圧部を前記身体の各部位に当接させることにより指圧を行い、肩への指圧には前記第２の指圧部を肩の凝り部に当接させて指圧を行うことを特徴とする。
【考案の効果】
【０００９】
２つの指圧部を有するため、1台の指圧器具で身体の正面・背面・側面と肩の両方を指圧することができる。
【００１０】
吸着盤を使用して指圧器具本体を仮固定するため、平面があれば場所を問わず、立ち位置で即座に指圧を行うことができる。例えば、勤務先のロッカー、家庭内の冷蔵庫やアルミサッシのガラス、ドライブイン等で車のガラスや車体等に、それぞれ吸着させて指圧を実行するといったことが可能となる。
【００１１】
吸着位置を変更することで、首凝り、肩凝り、背中の張り、腰痛といった各部の指圧を行うことができる。
【００１２】
一度に指圧できる部位は一箇所であることから指圧力が一点に集中されるので、指圧力の強弱の加減が自由にできる。そのため、着衣のままでも充分に効果的な指圧を行うことができる。
【図面の簡単な説明】
【００１３】
【図１】本実施形態の指圧器具全体の構成を示す斜視図である。
【図２】壁等に吸着させたときの本実施形態の指圧器具の正面図である。
【図３】本実施形態の指圧器具の第１の指圧部を使用しての利用例を示す絵図である。
【図４】本実施形態の指圧器具の第２の指圧部を使用しての利用例を示す絵図である。
【考案を実施するための形態】
【００１４】
以下、本考案の実施形態を、図を用いて説明する。
最初に、本実施形態の指圧器具の構成について述べる。図１に示すように、本実施形態に係る指圧器具は底部にゴム製の吸着盤６を備えた円形の台盤５を有し、台盤５から垂直方向に支持棒４が突出する形状となっている。また、支持棒４の端部には、指圧器具の使用時に水平方向に作用する指圧部２と、鉛直下方向に作用する指圧部３が互いに直角に配置されている。
【００１５】
本実施形態では、支持棒４、台盤５等の本体の材質は硬質の合成樹脂を採用し、本指圧器具全体の重量は約５００ｇになっている。また、吸着盤６の底部から第１の指圧部２の先端までの長さは約２１ｃｍ、吸着盤６の直径は約１１ｃｍであり、持ち運びが便利な小型軽量の設計となっている。さらに、吸着はレバー７の操作によりワンタッチで吸着及び剥離が可能な真空方式となっているため、多少の凹凸面でも本体をしっかりと固定させることができ、平面がある場所であれば、どのような場所でもすぐに指圧を始めることができる。
【００１６】
次に、本指圧器具の基本的な使用方法について説明する。まず、吸着盤６を指圧したい身体の部位の高さに合わせて壁等の平面に吸着させる。例えば、肩甲骨付近に凝りがあるとすれば、肩甲骨の高さの位置に本指圧器具を吸着させる。図２は壁等の平面８に吸着させた本指圧器具の正面図である。
【００１７】
図３は、第１の指圧部２を使用して身体の背面部を指圧するときの一例を示す絵図である。使用に際しては、例えば肩甲骨付近の凝りのある部分を第１の指圧部２の先端に押し当て指圧する。
【００１８】
図４は、第２の指圧部３を使用して肩の部位を指圧するときの一例を示す絵図である。まず、肩より少し低めのところに本指圧器具１を吸着させる。次に、支持棒４の下に腰を少し低くして肩を置き、その後、腰を伸ばして肩のツボを第２の指圧部３に押し当てて指圧する。このように、本指圧器具１の吸着位置を変更することで、首凝り、肩凝り、背中の張り、腰痛といった各部の指圧が可能となる。
【００１９】
最後に、指圧部を1点集中型とした理由と効果について述べる。
指圧を必要とする各部位にはそれぞれ数箇所のツボがあるが、凝りを感じるときは全部のツボが凝っているわけではなく、その日によって指圧が必要なツボは異なっている。まず、本指圧器具１の指圧部２又は３の先端に指圧したい部位を軽く押し当て、多少の痛みとともに気持ちいいところが指圧を必要としているツボである。何も感じなければそこはツボではない。このように指圧部２又は３の先端に身体を軽く押し当てながら身体を動かし、簡単に指圧の必要なツボをわずか数秒で探すことができる。そのため本指圧器具１を使用することにより、数分間の指圧時間で満足のいく指圧効果を得ることができる。
【００２０】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。本考案は、吸着盤を有する小型軽量の指圧器具により、どこでも即座に指圧を開始できる点と、互いに直角に配置された２点の指圧部を有することにより、1台の指圧器具で水平方向と鉛直方向に指圧を実施することができる点に技術的特徴を有するものである。したがって、これらの特徴を実現するための各部の素材の選択、サイズ及び各部の具体的構成等については様々な実施形態が可能であり、これらについての実施は、本考案の技術的範囲に含まれるものと解する。
【符号の説明】
【００２１】
１    指圧器具
２    第１の指圧部
３    第２の指圧部
４    支持棒
５    台盤
６    吸着盤
７    吸着レバー
８    平面
【図１】
0003197850.tif 000003
【図２】
0003197850.tif 000004
【図３】
0003197850.tif 000005
【図４】
0003197850.tif 000006